(57)【特許請求の範囲】
【請求項１】
紙を主体とし、開口部を有する容器の前記開口部外周縁内面に、異なる材質の樹脂の溶着層と基材層を、層間で剥離可能に積層した内シート部材を、前記溶着層で溶着し、該内シート部材の前記開口部内に位置する部分に１つ以上の注出孔を穿設し、シート状蓋を、前記内シート部材の前記開口部内に位置する部分に溶着し、該溶着強度が、前記内シート部材の溶着層の破断強度より強く、且つ溶着層と基材層との接着強度より強いことを特徴とする注出孔付容器。
【請求項２】
紙を主体とし、開口部を有する容器の前記開口部外周縁内面に、異なる材質の樹脂の溶着層と基材層を層間で剥離可能に積層した内シート部材を、前記溶着層で溶着し、前記開口部外周縁外面及び前記内シート部材表面に跨ぎかけて、前記開口部より大形でかつ内部に前記開口部より小形の孔を有する環状の外シート部材を溶着し、該外シート部材の孔内に位置する前記内シート部材内に１つ以上の注出孔を穿設して前記開口部端縁を被覆し、シート状蓋を、前記外シートの周縁部表面に剥離自在に溶着し、かつ前記内シート部材の前記外シート部材の孔内に位置する部分に溶着し、前記蓋と前記内シート部材の溶着層との溶着強度が、前記内シート部材の溶着層の破断強度より強く、且つ溶着層と基材層との接着強度より強いことを特徴とする注出孔付容器。
【請求項３】
前記内シート部材の溶着層と基材層とを、共押出しで積層して成ることを特徴とする請求項１または２記載の注出孔付容器。
【発明の詳細な説明】
【０００１】
【発明の属する技術分野】
本発明は、紙を主体とした容器に関するものであり、食品、農薬等で液体、粉体、顆粒体等の内容物を収納し、内容物を容易に注出することができ、しかも内容物収納時、注出時ともに容器自体が破損せず、ひいては内容物の保護を十分に果たせる紙容器に関するものである。
【０００２】
【従来の技術】
密閉性に優れた紙を主体とした容器としては、従来より所謂ゲーベルトップ型紙容器や、直方体型の紙容器が広く知られている。また、これら紙容器の注出構造、蓋構造としては、容器本体に注出孔を設け、この孔をシート状の蓋で覆い封止したものが知られている。例えば特開平５−１６２７４９がある。
【０００３】
【発明が解決しようとする課題】
前記従来の容器では、容器に直接注出孔を設けているため、容器の基材が厚いため、設ける注出孔の大きさ、個数に製造上の制約があった。特に多数の小孔を群として設ける場合は、孔同士の間隔をある程度以上広く設けなければならず、密集した小孔群とすることは困難であった。
【０００４】
また、開封前の密封状態においては、この注出孔を容器外面からのみ蓋で封止するため、内容物が特に液体である場合は、注出孔の端部から内容物が浸透して容器を膨潤させ、容器としての剛度が低下したり、蓋との接着不良を引き起こし内容物が漏れ出てしまうというような問題が発生する可能性があった。また、開封時に蓋と注出孔周囲とが直接溶着されているため、開封操作により、蓋により注出孔周縁が剥がれてしまい外観を損ねたり、程度によっては注出孔の形状をも変形させてしまい所期の注出形態を損ねてしまう場合もある。特に注出孔を小孔群とした場合に孔間のつなぎ部分を切断していまい大形の注出孔に変形させてしまう可能性もあった。
【０００５】
本発明は前記従来の容器の問題点を解消したものであり、内容物を良好に注ぎ出すことのできる注出孔付容器を提示し、同時に蓋との組合せにより、蓋開封前の状態では内容物が容器に浸透することがなく、完全な封止状態を保つ注出孔付容器を提示するものである。
【０００６】
【課題を解決するための手段】
本発明は、以下に列挙する抽出孔付容器である。
【００１０】
本発明は、紙を主体とし、開口部を有する容器の前記開口部外周縁内面に、異なる材質の樹脂の溶着層と基材層を、層間で剥離可能に積層した内シート部材を、前記溶着層で溶着し、該内シート部材の前記開口部内に位置する部分に１つ以上の注出孔を穿設し、シート状蓋を、前記内シート部材の前記開口部内に位置する部分に溶着し、該溶着強度が、前記内シート部材の溶着層の破断強度より強く、且つ溶着層と基材層との接着強度より強いことを特徴とする注出孔付容器である。
【００１１】
本発明は、紙を主体とし、開口部を有する容器の前記開口部外周縁内面に、異なる材質の樹脂の溶着層と基材層を層間で剥離可能に積層した内シート部材を、前記溶着層で溶着し、前記開口部外周縁外面及び前記内シート部材表面に跨ぎかけて、前記開口部より大形でかつ内部に前記開口部より小形の孔を有する環状の外シート部材を溶着し、該外シート部材の孔内に位置する前記内シート部材内に１つ以上の注出孔を穿設して前記開口部端縁を被覆し、シート状蓋を、前記外シートの周縁部表面に剥離自在に溶着し、かつ前記内シート部材の前記外シート部材の孔内に位置する部分に溶着し、前記蓋と前記内シート部材の溶着層との溶着強度が、前記内シート部材の溶着層の破断強度より強く、且つ溶着層と基材層との接着強度より強いことを特徴とする注出孔付容器である。
【００１２】
本発明は、前記内シート部材の溶着層と基材層とを、共押出しで積層して成ることを特徴とする注出孔付容器である。
【００１３】
【作用】
本発明紙容器は、注出孔を内シート部材に設けるため、希望する内容物の注出状態に応じて孔の大きさ、数を自由かつ簡単に設けることができる。
【００１５】
また本発明紙容器は、蓋が内シート部材と溶着しており、該内シート部材の注出孔を完全に遮断密封しているため、内容物が内シート部材より外部に出ることはなく、開口部端面から内容物が容器に浸透することはない。また、蓋を開封すると、内シート部材の蓋との溶着部分の溶着層のみが、蓋と一体に破断し、かつ基材層から剥離して、内シート部材の基材層の注出孔が表出する。この時、内シート部材の溶着層と基材層は剥離可能な状態で積層してあり、溶着層の剥離により基材層に生じる力は小さいため、内シート部材の基材層の注出孔の近傍部分が破断して、所定の注出孔の大きさより大きくなってしまうことはない。
【００１６】
【発明の実施の形態】
まず、本発明の各参考例を図面に基づき詳細に説明する。図１は第１の参考例の完成状態を示す斜視図であり、容器の全体構造は紙を主体とした基材Ｂにより製造したゲーベルトップ型の容器１である。上部の傾斜面２内に蓋３及び注出部Ａを設ける。蓋３及び注出構造を図２に示す拡大断面図に基づき説明する。
【００１７】
注出部は容器１の傾斜面２内に開口部４を設け、該開口部４の内面に開口部４より大形の内シート部材５を、該内シート部材５の周縁と、前記開口部４の外周縁内面に溶着する。前記内シート部材５の内部でかつ前記開口部４内で表出する部分に注出孔６を設ける。本参考例では注出孔６を多数の連続しない小孔群で形成している。
【００１８】
前記開口部４の外周縁表面、前記内シート部材表面に、外シート部材７を溶着する。該外シート部材７は前記開口部４より大形であり、かつ内部に前記開口部４より小形の孔８を有する環状体である。そして、前記外シート部材７の孔８と前記開口部４との中心を合わせた状態として、前記外シート部材の外側縁を前記開口部４の外周縁表面に溶着し、かつ外シート部材７の前記開口部４から内部に延出する部分を開口部４内に押し込み、前記孔８近傍の内側縁を前記内シート部材５の表面に溶着する。この時、前記開口部４の端面は外シート部材７によって被覆保護される。
【００１９】
ここで、前記参考例では外シート部材を環状体としたが、他の参考例として内シート部材を環状体にすることもできる。この場合、外シート部材は開口部を覆う形状とし、注出孔は外シートに設ける。
【００２０】
蓋３は溶着状態にある前記外シート部材７の外形に相当するかもしくは大形であるシート状であり、前記外シート部材７の前記開口部４外周縁表面との溶着部分の表面に溶着する。蓋３は前記外シート部材７の外形に相当する形状より下方に大形として、開封時のつまみを形成することもできる。
【００２１】
次に、図３に示す注出部の拡大断面図に基づき本発明の第２の参考例を説明する。第２の参考例は、第１の参考例の外シート部材７の孔８を無くした、外シート部材７’としたことを特徴とする。そして、外シート部材７’を第１の参考例と同様に開口部４の外周縁表面に溶着し、かつ内部全体を開口部４内に押し込み、内シート部材５と溶着する。注出孔６’は溶着した内外シート部材５、７’に貫通させて設ける。
【００２２】
ここで、注出孔６、６’、１６の形成方法を説明すると、内外シート部材を容器に溶着する前の部材の状態で予め設けておくこともできるが、より効率的に設けるには、内外シート部材を容器に溶着した状態で、抜き刃、熱刃等で穿設することができる。
【００２３】
本発明の各参考例の注出構造は前記ゲーベルトップ型の容器の傾斜面に設ける他に折り込み傾斜面に設けことができるし、側面に設けることができる。また、容器自体の構造もゲーベルトップ型の容器構造の他に、例えば図５に示す直方体型の容器にも展開することができる。この直方体型容器にあっても注出構造Ａは上面の他、側面に設けることができ
る。
【００２４】
また、蓋も図５に示すように、下部にフランジ部を有する筒状部材と、該筒状部材の上部外面に螺着、嵌着等するキャップとから成る周知の注出部材３’とすることができる。この場合は、注出部材の下部のフランジを外シート部材７の前記開口部４外周縁表面との溶着部分の表面に溶着する。この構造は、内容物を１度に使用しない場合の再封性に優れる。
【００２５】
前記した各参考例の基材Ｂの材質構成を説明すると、容器は表面から内面に順に、ポリエチレン／紙／ポリエチレン／アルミニウム／ポリエチレンテレフタレート／ポリエチレンという構成、もしくは、ポリエチレン／紙／ポリエチレン／（蒸着層）ポリエチレンテレフタレート／ポリエチレンという構成にすることができる。ここで、ポリエチレンテレフタレート表面に設ける蒸着層としては、金属、酸化金属、無機物、酸化無機物等を使用することができる。
【００２６】
外シート部材の材質構成としては、表面から内面に順にポリエチレン／ポリエステル／ポリエチレンという構成にすることができる。また、内シート部材の構成としては、表面（容器に溶着する面）から内面に順に、ポリエチレン／ポリエステルという構成にすることができる。
【００２７】
シート状の蓋の構成としては表面から内面に順に、ポリエチレンテレフタレート／アルミニウム／延伸ナイロン／ポリエチレンとすることができる。キャップと筒状部材から成る蓋の筒状部材の材質構成としては、ポリエチレンとすることができる。
【００２８】
次に、本発明の第１の実施例を図６に基づき説明する。図６は、本発明の第１の実施例の抽出部の拡大断面図である。本実施例では、前記した種種の形態の容器に開口部１４を設け、該開口部１４の内面に開口部１４より大形の内シート部材１５を、該内シート部材１５の周縁と、前記開口部１４の外周縁内面に溶着する。例えば、本実施例の容器を、図９に示すような、紙を主体とした基材Ｂにより製造したゲーベルトップ型の容器としても良い。前記内シート部材１５の内部でかつ前記開口部１４内で表出する部分に注出孔１６を設ける。本実施例では注出孔１６を多数の連続しない小孔群で形成している。注出孔１６は前記参考例と同様に形成することができる。
【００２９】
前記内シート部材１５は、表面（容器と溶着する側）から順に、溶着層２０／基材層２１の多層に設ける。また、溶着層２０と基材層２１とは異なる材質の樹脂で形成する。そして、溶着層２０と基材層２１との積層状態は剥離可能な程度の接着強度にする。また、基材層２１は多層とすることができる。この基材層２１の１層に、補強層としては延伸フィルムを設けることが好ましい。これは、延伸フィルムような破断強度の強い材料を用いることで、後述する本実施例の開封時に溶着層２０が破断することをより確実に達成する手段として有効であるためである。
【００３０】
蓋１３は前記開口部１４に相当するかもしくは大形のシート状である。前記蓋１３は、表面から順に、基材層２２／溶着層２３の多層に設け、基材層を多層とすることもできる。
【００３１】
蓋１３は溶着層２３により、前記内シート部材１５の前記開口部１４から表出する部分の表面の溶着層２０に溶着する。この時、蓋１３と内シート部材１５の溶着層２３と２０
との溶着強度は、該溶着層２０の破断強度より強く、かつ前記内シート部材１５の溶着層２０と基材層２１との接着強度より強く設定する。また溶着位置も、前記注出孔１６は蓋１３によって封止される状態にすることもできる。また、他の構成として、注出孔１６の周縁を残してその一定間隔を離した外周縁部分のみを内シートに溶着し、注出孔１６自体は蓋１３によって溶着しないようにすることもできる。
【００３２】
本実施例の封緘状態では、蓋１３が内シート部材１５と溶着しており、該内シート部材１５の注出孔１６を完全に遮断密封しているため、内容物が内シート部材１５より外部に出ることはなく、開口部１４端面から内容物が容器に浸透することはない。
【００３３】
また、本実施例の開封操作は、蓋１３を開封すると、内シート部材１５の蓋１３との溶着部分の溶着層２０のみが、蓋と一体に破断し、かつ基材層から剥離して、内シート部材１５の基材層２１の注出孔１６が表出する。これは、蓋１３と内シート部材１５の溶着層との溶着強度が、内シート部材１５の溶着層２０の破断強度より強く、且つ溶着層２０と基材層２１との接着強度より強く設定してあるため、確実かつ良好に行える。図７に、本実施例の注出部の開封時の拡大断面図を示す。
【００３４】
前記内シート部材１５の溶着層２０と基材層２１との積層状態を、本発明が要件とする剥離可能な状態に製造するには、異なる材質の樹脂を共押し出しによって製造することが好ましい。接着剤を用いた積層を行うと、接着剤が容器内の充填内容物によって影響を受け、接着強度が変化して、所期の接着強度より強くなってしまったり、弱くなってしまったりする現象が発生する可能性があり、その調整が困難になるという問題がある。これに対し共押し出しによると内容物の影響を受けにくく、所期の接着強度がそのまま維持できる。
【００３５】
前記内シート部材１５の溶着層２０と、蓋１３の溶着層２３とは同材質の樹脂とすることが好ましい。この構成とすることで内シート部材１５と蓋との接着強度が強くなり、蓋１３を開封した時の、内シート部材１５の溶着層２０の切断剥離を確実なものとする。
【００３６】
前記した実施例の基材Ｂは参考例と同様に、表面から内面に順に、ポリエチレン／紙／ポリエチレン／アルミニウム／ポリエチレンテレフタレート／ポリエチレンという構成、もしくは、ポリエチレン／紙／ポリエチレン／（蒸着層）ポリエチレンテレフタレート／ポリエチレンという構成にすることができる。ここで、ポリエチレンテレフタレート表面に設ける蒸着層としては、金属、酸化金属、無機物、酸化無機物等を使用することができる。
【００３７】
内シート部材の構成としては、表面（容器に溶着する面）から内面に順に、ポリエチレン／ポリ塩化ビニリデン／延伸ポリエチレン、ポリエチレン／ポリプロピレン／延伸ポリエチレン、ポリエチレン／エチレンビニルアルコール共重合体／延伸ポリエチレン、ポリエチレン／延伸ナイロン／延伸ポリエチレンとすることができる。これらの構成では、表面層が溶着層であり、中間層、内層の２層が基材層となる。ここで、基材層の内、内層は基材層の強度を向上させる補強層として機能する。
【００３８】
シート状の蓋の構成としては表面から内面に順に、ポリエチレンテレフタレート／アルミニウム／延伸ナイロン／ポリエチレンとすることができる。この場合内層のポリエチレンが溶着層となり、他の層が基材層となる。
【００３９】
本発明の第２の実施例は、図８に示すように、第１の参考例における内シート部材５の構成を、第１の実施例の内シート部材１５の構成とし、蓋１３を内シート部材１５の、外シート部材７の孔内に位置する部分の表面に溶着したものである。この蓋１３と内シート部材１５の溶着層２０との溶着強度は、第１の実施例と同じに、内シート部材１５の溶着層２０の破断強度より強く、且つ溶着層２０と基材層２１との接着強度より強く設定する。蓋１３は前記開口部１４に相当するかもしくは大形のシート状であり、前記外シート部材７の外形に相当する形状より下方に大形として、開封時のつまみを形成することもできる。
【００４０】
この構成とすることで、開封前の状態で、蓋が直接注出孔を強固に閉鎖するため、内容物が注出孔からしみ出ることはなく、また蓋開封後、内容物を注出孔から出す状態で、外シート部材によって内容物が開口部端面から浸透することを防止するという極めて高い機能を備えた構成となる。各部材の具体的構成は前記のものを使用できる。
【００４１】
ここで、注出孔６、６’、１６の形成方法を説明すると、内外シート部材を容器に溶着する前の部材の状態で予め設けておくこともできるが、より効率的に設けるには、内外シート部材を容器に溶着した状態で、抜き刃、熱刃等で穿設することができる。
【００４２】
本発明に収納する内容物としては特に限定はないが、１例として液体農薬を収納した場合は、注出孔を多数の小孔の群として形成することが好ましい。この構成とすることで、蓋開封後に容器を手で持ち下方に傾け、注出孔を下向きにして、内容物の自由落下、もしくは容器を手で押圧するか、容器を活きよい良く振ることで液体農薬をシャワー状に花壇、畑、水田に散布することができる。この時液体農薬は、一度に大量に飛び出てしまうことはなく、少量ずつ注ぎでる。また、この状態のまま容器を持ち歩くことで広範囲に渡って均一に散布することができる。
また、同じ液体農薬であっても散布器具に移し替えるような用途を希望する場合は注出孔を大形の１個の孔とすることにより達成できる。
【００４３】
このように本発明は、内容物の状態（液体、粉体、顆粒体等）、注ぎ出す状態に応じて注出孔の大きさ、個数を決定することができるため、どの様な状態にも対応することができる。さらに、内容物を１度の使いきるか、何度かに分けて使用するかの対応も、蓋の形態を選択することで達成できる。つまり、使い切りの場合はシート状の蓋材を使うことで対応でき、何度かに分けて使用する、つまりリクローズ機能が必要である場合はキャップと筒状部材の形態を使用することで対応できる。
【００４４】
【発明の効果】
本発明は、紙を主体とした容器に注出孔を設けるに際して、容器に直接開口を設け、該開口を注出孔とするのではなく、前記開口を覆う内シート部材という薄い部材に注出孔を設けるようにしたため、内容物の形態、または内容物を注ぎ出す形態に応じて、その注出孔の大きさ、個数を自由に設けることができる。このため、注出孔を多数の小孔群とすることも容易にできる。
【００４７】
また本発明は、蓋が内シート部材と溶着しており、該内シート部材の注出孔を完全に遮断密封しているため、内容物が内シート部材より外部に出ることはなく、開口部端面から内容物が容器に浸透することはない。
【００４８】
また、蓋を開封すると、内シート部材の蓋との溶着部分の溶着層のみが、蓋と一体に破断し、かつ基材層から剥離して、内シート部材の基材層の注出孔が表出する。この時、内シート部材の溶着層と基材層は剥離可能な状態で積層してあり、溶着層の剥離により基材層に生じる力は小さいため、内シート部材の基材層の注出孔の近傍部分が破断して、所定の注出孔の大きさより大きくなってしまうことはない。
【図面の簡単な説明】
【図１】本発明の第１の参考例の斜視図
【図２】本発明の第１の参考例の注出部の拡大断面図
【図３】本発明の第２の参考例の注出部の拡大断面図
【図４】本発明の第３の参考例の斜視図
【図５】本発明の第４の参考例の注出部の拡大断面図
【図６】本発明の第１の実施例の注出部の拡大断面図
【図７】本発明の第１の実施例の注出部の開封時の拡大断面図
【図８】本発明の第２の実施例の注出部の拡大断面図
【図９】本発明の第１の実施例の斜視図
【符号の説明】
Ａ・・・・・・・・・・・注出部
Ｂ・・・・・・・・・・・基材
１・・・・・・・・・・・容器
３、１３・・・・・・・・蓋
４、１４・・・・・・・・開口部
５、１５・・・・・・・・内シート部材
６、１６・・・・・・・・注出孔
７・・・・・・・・・・・外シート部材
８・・・・・・・・・・・孔
２０、２３・・・・・・・溶着層
２１、２２・・・・・・・基材層
【図１】
0003584708.tif 000002
【図２】
0003584708.tif 000003
【図３】
0003584708.tif 000004
【図４】
0003584708.tif 000005
【図５】
0003584708.tif 000006
【図６】
0003584708.tif 000007
【図７】
0003584708.tif 000008
【図８】
0003584708.tif 000009
【図９】
0003584708.tif 000010